(57)【要約】【課題】本発明の課題は、外部機器への組付けが容易で、且つ、歩留まりの向上した放熱板付きの樹脂モールド半導体装置を提供することにある。【解決手段】上記課題を解決するため、本発明の半導体装置１では、一方の主面側に第一電極及び制御用電極、他方の主面側に第二電極が露出した半導体スイッチング素子１０と、前記半導体スイッチング素子１０を挟む形で配置され、前記第一電極と前記第二電極とにそれぞれ電気的かつ熱的に接続される一対の放熱部材２、３と、前記一対の放熱部材２、３の間を充填するモールド樹脂部４と、を備える半導体装置１であって、制御信号の入力に供され、且つ、外部に引き出される、表面が絶縁加工された可撓性の配線部材５を有するとともに、当該配線部材５は、前記制御用電極、もしくは該制御用電極に接続された通電部材の端子に導通接着されてなることを特徴とする。【選択図】        図１
2004303854.tif 000002
【特許請求の範囲】
【請求項１】
一方の主面側に第一電極及び制御用電極、他方の主面側に第二電極が露出した半導体スイッチング素子と、前記半導体スイッチング素子を挟む形で配置され、前記第一電極と前記第二電極とにそれぞれ電気的かつ熱的に接続される一対の放熱部材と、前記一対の放熱部材の間を充填するモールド樹脂部と、を備える半導体装置であって、
制御信号の入力に供され、且つ、外部に引き出される、表面が絶縁加工された可撓性の配線部材を有するとともに、
当該配線部材は、前記制御用電極、もしくは該制御用電極に接続された通電部材の端子に導通接着されてなることを特徴とする半導体装置。
【請求項２】
前記第一電極に接続される前記放熱部材は、該第一電極に接続するための凸部が一体形成されてなることを特徴とする請求項１に記載の半導体装置。
【請求項３】
前記放熱部材は、前記配線部材を絶縁接着して固定するための絶縁接着部を有し、前記配線部材は当該絶縁接着部に絶縁接着されてなることを特徴とする請求項１または２に記載の半導体装置。
【請求項４】
前記半導体スイッチング素子の動作制御を行う制御回路部が、前記モールド樹脂部内に封入され、且つ、前記制御用電極から外部へと引き出される接続経路のいずれかの位置に介挿されていることを特徴とする請求項１ないし３のいずれか１項に記載の半導体装置。
【請求項５】
前記配線部材は前記制御回路部を有し、且つ、当該配線部材が前記制御用電極に導通接着されてなることを特徴とする請求項４に記載の半導体装置。
【請求項６】
前記配線部材は可撓性配線基板として構成され、該可撓性配線基板に電子部品が実装されることにより前記制御回路部をなすことを特徴とする請求項５に記載の半導体装置。
【請求項７】
前記通電部材は、前記第二電極に接続される前記放熱板に絶縁接着されてなるとともに、前記制御回路部を有し、且つ、前記配線部材が当該通電部材の端子に導通接着されてなることを特徴とする請求項４に記載の半導体装置。
【請求項８】
前記通電部材は配線基板部を備え、該配線基板部に電子部品が実装されることにより前記制御回路部をなすことを特徴とする請求項７に記載の半導体装置。
【発明の詳細な説明】
【０００１】
【発明が属する技術分野】
本発明は、半導体スイッチング素子の両主面にそれぞれ電気的かつ熱的に接続された一対の放熱部材を備えてなり、当該両主面から放熱を行う半導体装置に関する。
【０００２】
【従来の技術】
半導体スイッチング素子の両主面から放熱を行う半導体装置には、例えば、一対の放熱部材（ヒートシンク）を、素子を挟む形で配置し、放熱部材間を樹脂でモールドしたものがある（下記特許文献１参照）。このような半導体装置は、代表的な半導体スイッチング素子（半導体パワー素子ともいう）であるＩＧＢＴ（Ｉｎｓｕｌａｔｅｄ  Ｇａｔｅ  Ｂｉｐｏｌａｒ  Ｔｒａｎｓｉｓｔｏｒ）を例にすると、素子の２つの主面にそれぞれ露出するエミッタ電極及びコレクタ電極に、それぞれヒートシンクを直接、またはスペーサを介してそれぞれハンダ接続する。この場合のヒートシンクは、大電流経路としての機能も有する。一方、素子のゲート電極（制御用電極）と、モールド樹脂部の外部に延出する制御信号用リードとは、ボンディングワイヤにより導通接続される。そして、このような素子パッケージを複数組付けることにより、インバータ回路モジュールが作製され、モータ駆動等の用途に供される。
【０００３】
【特許文献１】
特開２００１−１５６２２５号公報
【０００４】
【発明が解決しようとする課題】
ところで、上記制御信号用リードは金属リードにて構成されており、またその端部はモールド樹脂部内にてボンディングワイヤにより接続されている。半導体装置は外部機器に組付けられるわけであるが、そのような金属リードの場合、外部に延出している部位を折曲げ加工し、ベンド形状にしてから外部機器に組付け（接続）しなければならず、またそのような形状のリードを人間の手により外部機器に組付けるのは困難であった。
【０００５】
また、ボンディングワイヤは、ワイヤ長が長くなるほど、樹脂モールド時に、隣接するボンディングワイヤ同士が接触したり、断線が生じたりする可能性が高くなる。素子の微細化と高電流密度化による発熱量の増大によってヒートシンクの大面積化が求められる今日においては、ワイヤ長が増大することが考えられるため、そのような接触や断線の問題は看過できなくなる。また、リードの一部がモールド樹脂部内に封入されているとしても、上記のような折曲げ加工や組付け時にリードに負荷が加わるため、それに接続されたボンディングワイヤにも負荷の一部が伝わり、断線が生じることも考えられる。このような要因により接続信頼性が悪化し、また製品の歩留まりが低下してしまうため、従来のようなボンディングワイヤによる接続構造をそのまま適用することには難がある。
【０００６】
従って、本発明の課題は、外部機器への組付けが容易で、且つ、歩留まりの向上した放熱部材付きの樹脂モールド半導体装置を提供することにある。
【０００７】
【課題を解決するための手段及び作用・発明の効果】
上記課題を解決するため、本発明の半導体装置では、
一方の主面側に第一電極及び制御用電極、他方の主面側に第二電極が露出した半導体スイッチング素子と、前記半導体スイッチング素子を挟む形で配置され、前記第一電極と前記第二電極とにそれぞれ電気的かつ熱的に接続される一対の放熱部材と、前記一対の放熱部材の間を充填するモールド樹脂部と、を備える半導体装置であって、
制御信号の入力に供され、且つ、外部に引き出される、表面が絶縁加工された可撓性の配線部材を有するとともに、
当該配線部材は、前記制御用電極、もしくは該制御用電極に接続された通電部材の端子に導通接着されてなることを特徴とする。
【０００８】
上記本発明の半導体装置によると、上記のような制御信号用リードに代わり、表面が絶縁加工された可撓性の配線部材が配されている。また、配線部材は制御用電極、もしくは制御用電極に接続された通電部材の端子に導通接着されており、配線部材の接続にボンディングワイヤを使用していない構成となっている。また配線部材が可撓性であるため、内部の接続部に余計な負荷を与えることなく、外部機器への組付けを容易に行うことができる。さらに、配線部材は、電極又は端子に直接接着されているため、ボンディングワイヤによる接続の場合よりも接続信頼性を確保できる。
【０００９】
また、金属リードにボンディングワイヤが付された構成では、金属リードやボンディングワイヤと、放熱部材との間に短絡が生じる惧れがある。そのため、図６の従来の半導体装置１´の例に示されるように、金属リード１０５の先端は放熱部材２、３の端部付近に配されることになり、中心付近に素子１０が配された場合、接続距離、すなわちボンディングワイヤ１０７のワイヤ長を長くせざるを得ない。このことは、放熱部材２、３の大面積化が求められる今日においては致命的である。しかし、上記本発明では、配線部材は表面が絶縁加工されているため、放熱部材との接触を気にする必要がなく、放熱部材間に配線部材を引くことができる。したがって、電極もしくは端子の位置が放熱部材間の中心付近であっても、配線部材を放熱部材間の中心付近まで引き、直接接着することが可能となる。これにより、放熱部材の大面積化にも対応できる。
【００１０】
また、本発明の半導体装置では、第一電極に接続される放熱部材は、該第一電極に接続するための凸部が一体形成された構成することができる。半導体スイッチング素子において、第一電極側の主面には、第一電極に加えて制御用電極も露出している。そのため、第一電極に接続される放熱部材は、第一電極側の主面全体を覆うような形態とすることができず、第一電極側の主面のうち、露出する第一電極にのみに接続されるような形態でなければならない。したがって、従来の半導体装置では、図６に示すように、素子１０と放熱部材３との間に、素子１０の第一電極にのみ接触する形状のスペーサ１０３を挿入しているが、この場合、スペーサ１０３と放熱部材３との間の接合界面において、熱引きが良好に行われない問題が生じることがある。そこで、上記本発明のごとく、放熱部材に、第一電極に接続するための凸部を一体形成する（つまり、放熱部材３とスペーサ１０３とを一体形成する）ことで、そのような問題を解消することができる。また、一体形成することにより、部品点数を削減できるうえに、従来行われていた放熱部材３とスペーサ１０３との接合処理（例えば、ハンダリフロー処理）も削減できるので、コスト面においても改善される。
【００１１】
また、本発明の半導体装置では、放熱部材は、配線部材を絶縁接着して固定するための絶縁接着部を有し、配線部材は当該絶縁接着部に絶縁接着された構成とすることができる。配線部材は、上述のように表面が絶縁加工されているので、放熱部材との接触を気にする必要がない。そこで、放熱部材に、配線部材を何の支障もなく絶縁接着することができる。これにより、配線部材は固定され、電極もしくは端子に導通接着された部位に余計な負荷が加わることを防ぐことができる。
【００１２】
一般に半導体装置では、半導体スイッチング素子の動作制御を行う制御回路を構成して、インテリジェントパワーモジュール（ＩＰＭ）とすることができる。従来、そのような制御回路は半導体装置の外部に構成され、リード（制御信号用リード）を通じて制御用電極に制御信号を送っている。しかし、その場合、半導体スイッチング素子と、制御回路とが離れているため、制御信号の伝達を担う経路（配線長）が長く構成される。そのため、該経路がノイズの影響を受け易く、半導体スイッチング素子が誤動作を起こしてしまう場合がある。そこで、本発明の半導体装置では、半導体スイッチング素子の動作制御を行う制御回路部を、モールド樹脂部内に封入し、且つ、制御用電極から外部へと引き出される接続経路のいずれかの位置に介挿されるよう構成して、インテリジェントパワーモジュールとする。これにより、制御信号の伝達を担う経路が短縮され、ノイズによる素子の誤動作を低減することができる。なお、このような構成にすることで、放熱部材の大面積化に伴う、放熱部材間に生じるスペースを有効に活用することができる。
【００１３】
また、従来のように制御回路が外部に構成される場合には、半導体装置において、素子の制御用電極に接続されたリードが剥き出しであるため、製造時や組付け時等において、ハンドリングを行う人間が静電気を帯電していると、制御用電極に電圧が印加されてしまい、素子の劣化や破壊が生じてしまう場合がある。しかし、本発明の半導体装置の構成では、外部に引き出された配線部材は、制御回路部を介して素子の制御用電極に接続されているため、制御用電極が制御回路にて保護され、静電気が直接印加されることがなくなる。この結果、素子の劣化や破壊を防止することができ、歩留まり低下の防止に繋がる。
【００１４】
以下に、制御回路部がモールド樹脂部内に封入され、且つ、制御用電極から外部へと引き出される接続経路のいずれかの位置に介挿されている半導体装置の態様について説明する。まず一つ目の形態では、配線部材は制御回路部を有し、且つ、当該配線部材が制御用電極に導通接着された構成とすることができる。配線部材に制御回路部が形成されることにより、通電部材等を介さず、配線部材を制御用電極に直接導通接着することができる。具体的には、配線部材が可撓性配線基板として構成され、該可撓性配線基板に電子部品が実装されることにより制御回路部をなす。
【００１５】
二つ目の態様としては、通電部材は、第二電極に接続される放熱板に絶縁接着されてなるとともに、制御回路部を有し、且つ、配線部材が当該通電部材の端子に導通接着された構成とすることができる。これは、制御用電極と配線部材との間に制御回路部を有する通電部材が形成された構成であり、通電部材の一方の端子は制御用電極に、もう一方の端子は配線部材に接続される。具体的には、通電部材は配線基板部を備え、該配線基板部に電子部品が実装されることにより制御回路部をなす。
【００１６】
【発明の実施の形態】
（第１の実施形態）
図１に示すのは、本発明の半導体装置の第１実施形態であるパワーモジュール１の断面模式図である。パワーモジュール１は、半導体スイッチング素子１０（以下、単に半導体チップともいう）、一対の放熱部材２、３、モールド樹脂部４、配線部材５が一体化したものである。このようなパワーモジュール１は、例えばブラシレスモータ用の三相インバータ回路の一部を構成する。半導体チップ１０の種類は、例えばＩＧＢＴやパワーＭＯＳＦＥＴとすることができる。モータなどの誘導負荷に接続されるＩＧＢＴには、通常、フリーホイールダイオードが逆並列に接続されるが、図１中には表していない。
【００１７】
図５の拡大断面図に示すように、薄板状の半導体チップ１０は、一方の主面側に上記第一電極であるエミッタ電極１０ｅ（またはソース電極）及び制御用電極であるゲート電極１０ｇが露出し、他方の主面側に上記第二電極であるコレクタ電極１０ｃ（またはドレイン電極）が露出するように設計されている。ゲート電極１０ｇ、エミッタ電極１０ｅ及びコレクタ電極１０ｃには、Ｎｉ−Ａｕめっきなど、半田との濡れ性向上のための表面処理が施されている。エミッタ電極１０ｅ及びゲート電極１０ｇが露出形成されている主面側において、ゲート電極１０ｇ及びエミッタ電極１０ｅの非露出領域は、ポリイミド樹脂等などの絶縁保護膜１０ａに被覆されている。他方、反対側の主面では、全面にコレクタ電極１０ｃが露出している。
【００１８】
そして、半導体チップ１０において、コレクタ電極１０ｃにはコレクタ側放熱部材２が、エミッタ電極１０ｅにはエミッタ側放熱部材３が、例えばハンダからなる接合部材６により、それぞれ電気的かつ熱的に接続されている。各放熱部材２、３は、扁平状または板状の形態を有し、接合部材６を介して半導体チップ１０に接続される受熱面２２、３３、外部に露出した放熱面２１、３１を有する。これらの面はそれぞれ略平面であり、互いに略平行となっている。また、各放熱部材２、３には、モールド樹脂部４の外側に延出する大電流用のリード端子がそれぞれ形成されている（図示せず）。なお、各放熱部材２、３は、熱伝導性および電気伝導性の観点から、たとえばＣｕ、Ｗ、Ｍｏ、Ａｌのグループから選択される１種の金属材料、もしくはそれらの金属材料を主体とする合金により構成されることが好ましい。
【００１９】
また、半導体チップ１０の周側面を被覆するとともに、放熱部材２、３により形成される隙間を充填するようにモールド樹脂部４が設けられている。モールド樹脂部４は、たとえばエポキシ樹脂により構成される。
【００２０】
さらに、パワーモジュール１は、半導体チップ１０のゲート電極１０ｇに制御信号（チャネル切り換え信号）を供給するための配線部材５を有する。そして、以下のような接続形態とすることでボンディングワイヤによる接続を排している。配線部材５は、表面が絶縁加工された可撓性の部材によって構成されており、詳しくは、例えばポリイミドシート内にＣｕまたはＣｕ合金からなる配線パターンが形成されたもの（一般にフレキシブルリードと呼ばれる）を好適に用いることができる。このように配線部材５が可撓性であることから、外部機器（図示せず）への接続が容易となる。外部機器への接続は、図示しないが例えば、外部機器側にはピンを設けておき、配線部材５の外部に引き出された側の端部には該ピンと嵌合するソケットを設けておくことで、容易に接続できる。
【００２１】
また、配線部材５は、表面が絶縁加工されているので放熱部材２、３との接触を気にする必要がなく、放熱部材２、３の間に配することができる。したがって、配線部材２、３の中央付近に位置する半導体チップ１０の付近まで配線部材５を引き、ゲート電極１０ｇに配線部材５を直接導通接着することが可能となる。導通接着に関しては、配線部材５の内部配線を剥き出しにした部位と、ゲート電極１０ｇと、を例えば銀ロウからなる導通接合材７を介して接着することで実現できる。これにより、ボンディングワイヤによる接続の場合よりも良好な接続信頼性を得ることができる。
【００２２】
次に、エミッタ電極１０ｅに接続された放熱部材３は、エミッタ電極１０ｅに接続するための凸部３５が一体形成されている。上述のように、半導体チップ１０において、エミッタ電極１０ｅを有する主面には、エミッタ電極１０ｅに加えてゲート電極１０ｇも露出している。したがって、コレクタ電極１０ｃのように主面全域を放熱部材２が覆うような形態で接続することができない。このため、放熱部材３には、受熱面３３がエミッタ電極１０ｅの露出面に含まれるような形状となるように凸部３５が一体形成される。なお、受熱面がエミッタ電極１０ｅの露出面に含まれるような形状のスペーサ１０３（図６参照）を配して、エミッタ電極１０ｅと放熱部材２とを接続してもよい。
【００２３】
次に、エミッタ電極１０ｅに接続された放熱部材３は、配線部材５を絶縁接着して固定するための絶縁接着部３６を有する。そして、配線部材５は絶縁接着部３６に、例えばシリコーン樹脂からなる絶縁接着材８を介して絶縁接着されている。本実施形態では、絶縁接着を行う位置がゲート電極１０ｇに近く、絶縁接着部３６は凸部３５から張り出した形態となっているが、これに限られることはなく、個別に形成して絶縁接着を行っても良いし、またはコレクタ電極１０ｃに接続された放熱部材２に設けて絶縁接着してもよい。
【００２４】
以上のようなパワーモジュール１は、以下のような製造工程によって得られる。▲１▼放熱部材２と半導体チップ１０とを、受熱面２２とコレクタ電極１０ｃ側の主面とが対向するよう接合部材（ハンダ）６により固定する。▲２▼放熱部材３の絶縁接着部３６に配線部材５を絶縁接着材（シリコーン樹脂）８により絶縁接着、もしくは半導体チップ１０のゲート電極１０ｇに配線部材５を導通接着材（銀ロウ）７により導通接着する。▲３▼半導体チップ１０と放熱部材３とを、エミッタ電極１０ｅと凸部３５の受熱面３３とが対向するよう接合部材（ハンダ）６により固定する。▲４▼配線部材５を接着（▲２▼において配線部材５が、放熱部材３側に絶縁接着された場合には半導体チップ１０のゲート電極１０ｇに導通接着材７により導通接着、また、半導体チップ１０側に導通接着された場合には放熱部材３の絶縁接着部３６に絶縁接着材８により絶縁接着）する。▲５▼例えばエポキシ樹脂を放熱部材２、３の間に充填することでモールド樹脂部を形成する。以上によりパワーモジュール１が完成する。
【００２５】
（第２の実施形態）
図２に示すのは、本発明の半導体装置の第２実施形態であるインテリジェントパワーモジュール（以下、ＩＰＭとする）１の断面模式図である。以下、主として図１と異なるところを述べ、同一部分は図２中に同一符号を付して説明を簡略化する。図２に示すように、ＩＰＭ１では、モールド樹脂部４内に半導体チップ１の動作制御をおこなうための制御回路部９が封入されている。配線部材５は、例えばポリイミドシート内にＣｕまたはＣｕ合金からなる配線パターンが形成された可撓性（フレキシブル）配線基板にて構成され、そして当該基板上において制御回路部９が実現されている。詳しくは、可撓性配線基板（配線部材）５の実装面に、電子部品（ゲートドライブＩＣ等の能動素子）９１や、チップ抵抗、チップコンデンサ等の受動素子（配線部材５内に組込まれる場合もあるのでここでは図示しない）が実装されることにより、所定の回路が実現し、制御回路部９をなしている。以上のようにして、制御回路部９が、モールド樹脂部４内に封入され、且つ、ゲート電極１０ｇから外部へと引き出される接続経路の途中に介挿された構造が得られる。なお、制御回路部９は例えば、公知のＩＧＢＴのゲート駆動回路や、ＩＧＢＴの過電流、過熱を検出して保護の為の動作をする回路として構成される。また、本実施形態では、制御回路部９は、配線部材５の放熱部材２、３間の領域内に形成されているが、図３のように放熱部材２、３間の領域外で、且つ、モールド樹脂部４内に納まるように形成することもできる。
【００２６】
（第３の実施形態）
図４に示すのは、本発明の半導体装置の第３実施形態であるインテリジェントパワーモジュール（ＩＰＭ）１の断面模式図である。以下、主として図１と異なるところを述べ、同一部分は図４中に同一符号を付して説明を簡略化する。図４に示すように、本実施形態のＩＰＭ１でも、上記の第２実施形態と同様に、モールド樹脂部４内に半導体チップ１の動作制御をおこなうための制御回路部９が封入されている。詳しくは、放熱部材２の放熱面２１とは逆側の面（受熱面）２２の半導体チップ１０が接合されていない領域に、例えばシリコーン樹脂（接着剤）からなる絶縁層１０８を介して、配線基板部９２が固定（絶縁接着）されており、該配線基板部９２に電子部品９１が実装されることにより制御回路部９をなす。なお、制御回路部９は、上記の第２実施形態の場合と同様の回路構成とされている。そして、配線基板部９２の片方の端子は、半導体チップ１０のゲート電極１０ｇにボンディングワイヤ１０７により接続されており、もう片方の端子には配線部材５が導通接着材（銀ロウ）７を介して導通接着されている。ここでのボンディングワイヤ１０７は、互いに近接して各々固定された半導体チップ１０と配線基板部９２とを接続するものであるので、上記のような問題は生じない。以上のようにして、制御回路部９が、モールド樹脂部４内に封入され、且つ、ゲート電極１０ｇから外部へと引き出される接続経路の途中に介挿された構造が得られる。なお、ここでは、制御回路部９とは上記通電部材を兼ねるものとする。
【図面の簡単な説明】
【図１】第１実施形態の半導体装置（パワーモジュール）の断面構造を表す模式図
【図２】第２実施形態の半導体装置（インテリジェントパワーモジュール）の断面構造を表す模式図
【図３】図２の第２実施形態の変形例を表す図
【図４】第３実施形態の半導体装置（インテリジェントパワーモジュール）の断面構造を表す模式図
【図５】半導体スイッチング素子１０の断面構造を表す模式図
【図６】従来の半導体装置の断面構造を表す模式図
【符号の説明】
１      半導体装置
２      放熱部材（コレクタ電極１０ｃ側）
３      放熱部材（エミッタ電極１０ｅ側）
３５    凸部
３６    絶縁接着部
４      モールド樹脂部
５      配線部材
６      接合部材
７      導通接着材
８      絶縁接着材
９      制御回路部
９１    電子部品
１０    半導体スイッチング素子（半導体チップ）
１０ｃ  コレクタ電極
１０ｅ  エミッタ電極
１０ｇ  ゲート電極
【図１】
2004303854.tif 000003
【図２】
2004303854.tif 000004
【図３】
2004303854.tif 000005
【図４】
2004303854.tif 000006
【図５】
2004303854.tif 000007
【図６】
2004303854.tif 000008